(57)【特許請求の範囲】
【請求項１】
心臓に対して超音波を送受波してエコーデータを取得する送受波部と、
エコーデータに基づいて、収縮拡張運動に伴う心臓壁の変位を示す変位画像を経時的に順次合成した変位履歴画像を形成する運動画像形成部と、
変位履歴画像を含んだ表示画像を形成する表示画像形成部と、
を有し、
前記運動画像形成部は、収縮期間の変位履歴画像と拡張期間の変位履歴画像を形成し、
前記表示画像形成部は、収縮期間の変位履歴画像と拡張期間の変位履歴画像に対して互いに異なる原色を基調とした色づけ処理を施し、同一心拍内における収縮期間の変位履歴画像と拡張期間の変位履歴画像を並べて配置した表示画像を形成する、
ことを特徴とする超音波診断装置。
【請求項２】
請求項１に記載の超音波診断装置において、
前記表示画像形成部は、
収縮期間の開始を示す収縮開始時点と終了を示す収縮終了時点、拡張期間の開始を示す拡張開始時点と終了を示す拡張終了時点を視覚的に示した設定期間表示と、
前記心臓から得られる心電波形を表示した心電波形表示と、
を含んだ前記表示画像を形成し、
前記設定期間表示と前記心電波形表示を互いに時間軸を揃えて表示する、
ことを特徴とする超音波診断装置。
【請求項３】
請求項１または２に記載の超音波診断装置において、
前記収縮期間および拡張期間は、前記心臓から得られる心電波形に含まれるＲ波を基準として設定され、
前記運動画像形成部は、設定された収縮期間内において収縮期間の変位履歴画像を形成した後、それに引き続いて、設定された拡張期間において拡張期間の変位履歴画像を形成し、
前記表示画像形成部は、段階的に形成される収縮期間の変位履歴画像と拡張期間の変位履歴画像を左右に並べて配置した表示画像を形成する、
ことを特徴とする超音波診断装置。
【発明の詳細な説明】
【技術分野】
【０００１】
本発明は、超音波診断装置に関し、特に対象組織の運動を画像化する超音波診断装置に関する。
【背景技術】
【０００２】
対象組織の運動を画像化する超音波診断装置が知られている。例えば、特許文献１に記載の超音波診断装置は、二次元超音波画像から対象組織の輪郭を明瞭にした輪郭像を形成し、その輪郭像を各フレームごとにメモリに記憶させ、メモリに記憶された過去の輪郭像と現時点の輪郭像から、これらの相違に応じた変位画像を形成し、その変位画像を経時的に順次合成した変位履歴画像を表示するものである。この超音波診断装置は、例えば、心筋の異常運動の診断に利用され、心室の拡張期と収縮期との間における心筋の運動状態を経時的に表示することができるため、心臓などの運動状態の診断において絶大な効果を発揮する。
【０００３】
この超音波診断装置は、その実用価値の高さゆえに関連する改良技術も存在する。例えば、上述のごとく形成された各フレームごとの変位画像に対して色付け処理を施し、変位履歴画像を明瞭化する技術が知られている。つまり、各フレームに対応する色付け処理が施された変位画像が複数フレーム合成され、その結果生成される変位履歴画像が、各高さごとに色付けされた地図の等高線のように表示される。
【０００４】
さらに、特許文献２には、心臓に対してストレスを掛けない場合の変位履歴画像と、ストレスを掛けた場合の変位履歴画像とを、同一表示画像内に並列的に表示する技術が開示されている。これにより、ストレスエコー法における負荷前後の状態の比較を容易にしている。
【０００５】
特許文献１や特許文献２に示される変位履歴画像などの運動画像は、周期的に運動する心臓などの診断に極めて有用である。
【０００６】
ちなみに、変位履歴画像などの運動画像とは異なる視点から、心臓の画像化を実現する手法も知られている。例えば、特許文献３には、心臓の拡張期終末画像と収縮期終末画像とを横に並べて表示する技術が開示されている。
【０００７】
【特許文献１】特許第３０４５６４２号公報
【特許文献２】特開２００５−２１８７１３号公報
【特許文献３】特表２００４−５１４５２６号公報
【発明の開示】
【発明が解決しようとする課題】
【０００８】
上述のように、特許文献１や特許文献２に示される変位履歴画像などの運動画像は、周期的な運動をする心臓などの診断に極めて有用である。これら従来の優れた技術を背景に、本願の発明者らは、周期的な運動をする対象組織の診断に有用な装置に関する研究、開発を続けてきた。
【０００９】
本発明は、このような背景において成されたものであり、その目的は、同一周期内の異なる複数の期間における運動の比較を容易にする装置を提供することにある。
【課題を解決するための手段】
【００１０】
上記目的を達成するために、本発明の好適な態様である超音波診断装置は、周期的な運動をする対象組織に対して超音波を送受波してエコーデータを取得する送受波部と、エコーデータに基づいて、対象組織の運動を反映させた運動画像を形成する運動画像形成部と、運動画像を含んだ表示画像を形成する表示画像形成部と、を有し、前記運動画像形成部は、周期的な運動をする対象組織に関して、同一周期内の異なる複数の期間に対応した複数の運動画像を形成し、前記表示画像形成部は、同一周期内の異なる複数の期間に対応した複数の運動画像を並べて配置した表示画像を形成する、ことを特徴とする。
【００１１】
望ましい態様において、前記運動画像形成部は、前記運動画像として、対象組織の輪郭の変位を反映させた画像を形成することを特徴とする。望ましい態様において、前記対象組織は、収縮拡張運動をする心臓であり、前記運動画像形成部は、前記運動画像として、収縮拡張運動に伴う心臓壁の変位を反映させた画像を形成する、ことを特徴とする。
【００１２】
望ましい態様において、前記表示画像形成部は、同一心拍内の異なる複数の期間に対応した複数の運動画像を並べて配置した表示画像を形成することを特徴とする。望ましい態様において、前記運動画像形成部は、収縮期間の運動画像と拡張期間の運動画像を形成し、前記表示画像形成部は、同一心拍内における収縮期間の運動画像と拡張期間の運動画像を並べて配置した表示画像を形成する、ことを特徴とする。
【００１３】
望ましい態様において、前記収縮期間および拡張期間は、対象組織である心臓から得られる心電波形に含まれるＲ波を基準として設定され、前記運動画像形成部は、設定された収縮期間内において収縮期間の運動画像を形成した後、それに引き続いて、設定された拡張期間において拡張期間の運動画像を形成し、前記表示画像形成部は、段階的に形成される収縮期間の運動画像と拡張期間の運動画像を左右に並べて配置した表示画像を形成する、ことを特徴とする。
【発明の効果】
【００１４】
本発明により、周期的な運動をする対象組織に関して、同一周期内の異なる複数の期間における運動状態の比較が容易になる。
【発明を実施するための最良の形態】
【００１５】
以下、本発明の好適な実施形態を図面に基づいて説明する。
【００１６】
図１には、本発明に係る超音波診断装置の好適な実施形態が示されており、図１はその全体構成を示すブロック図である。
【００１７】
プローブ１０は、超音波を送受波する超音波探触子である。このプローブ１０は、複数の振動素子からなるアレイ振動子を有しており、複数の振動素子が電子的に制御されることによって指向性を備えた超音波ビームが形成される。さらに、複数の振動素子が電子的に制御されることによって超音波ビームの方向が変更され、対象組織を含む空間内において超音波ビームが走査される。検査者は超音波ビームが被検者の対象組織を捉えるようにプローブ１０を被検者に当接する。本実施形態における対象組織は、周期的な運動をする組織であり、その一例が心臓である。心臓の診断を行う場合、プローブ１０は、例えば、被検者の胸部に当接される。
【００１８】
送受信部１２は、振動子アレイに含まれる各振動素子ごとに遅延制御された送信パルスをプローブ１０へ出力する。振動素子ごとの遅延量は、送波される超音波が指向性を備えたビームを形成するように制御され、また、形成されるビームの方向に応じて制御される。さらに送受信部１２は、プローブ１０から得られる各振動素子ごとの受信信号を整相加算する。受信信号はアナログ信号からデジタル信号に変換され、超音波ビームの方向に沿ったエコーデータ列が形成されてＤＳＣ１４へ出力される。
【００１９】
ちなみに、送受信部１２とＤＳＣ１４の間にメモリ３２を設けて、送受信部１２から出力されるエコーデータ列を一旦メモリ３２に記憶させ、メモリ３２を介してエコーデータ列をＤＳＣ１４へ供給するようにしてもよい。メモリ３２に、最新のエコーデータ列から複数心拍前までのエコーデータ列を記憶させておくことにより、後にその複数心拍内のエコーデータ列を読み出して、ループ再生などを実現することができる。
【００２０】
ＤＳＣ（デジタル・スキャン・コンバータ）１４は、送受信部１２から出力される超音波ビームに沿ったエコーデータ列を内蔵のフレームメモリに格納し、後段の処理に適合した順序に並び替えてエコーデータを出力する。
【００２１】
運動画像形成部１６は、ＤＳＣ１４から出力されるエコーデータに基づいて心臓の運動画像（運動画像データ）を形成する。運動画像の形成には、例えば、前述の特許文献１に記載された技術が利用される。つまり、エコーデータに基づいて得られる心臓の断層画像から心臓内壁の輪郭を明瞭にした輪郭像を形成し、その輪郭像が各フレームごとに記憶され、記憶された過去の輪郭像と現時点の輪郭像からこれらの相違に応じた変位画像を形成し、その変位画像を経時的に順次合成した変位履歴画像を運動画像として形成する。
【００２２】
そのため、運動画像形成部１６は、まず、所定しきい値に基づいて、様々な画素値からなるエコーデータを二値化処理し、心臓の心腔に対応する部分を抽出した二値化画像を形成する。あるいは、運動画像形成部１６は、心腔の中心部分に人為的に設定された基準点を利用して、その基準点から放射状に複数の参照ラインを設定し、各参照ライン上においてエッジ検出を行うことにより心筋と心腔との境界を検出し、境界の内側領域を心腔として抽出してもよい。もちろん、これらの手法に限らず、従来から周知の手法を利用して心腔部分を抽出してもよい。
【００２３】
そして、運動画像形成部１６は、各フレームごとに出力される心腔部分を抽出した二値化画像に基づいて、１時相前のフレームと最新フレームとの比較を行い、時相間における心腔の相違部分である変位画像を形成する。最新時相のフレームと比較するフレームは過去の時相のフレームであればよく１時相前のものには限らない。さらに運動画像形成部１６は、各時相ごとに形成される変位画像に対してその時相に対応した色付け処理を行い、複数時相の変位画像を順次重ね合わせた変位履歴画像を形成する。
【００２４】
なお運動画像形成部１６は、心腔の相違部分である変位画像を形成する手法に換えて、二値化処理などを利用して心筋と心腔との境界ラインを抽出し、その境界ラインを複数のフレームに亘って捉えることにより、時相間における境界ラインの隙間に色付け処理を行って、変位履歴画像を形成してもよい。
【００２５】
ちなみに、運動画像形成部１６によって参照されるメモリ３４を設けてもよい。そして、メモリ３４に、最新の変位履歴画像から複数心拍前までの変位履歴画像を記憶させておくことにより、後にその複数心拍内の変位履歴画像を読み出して、ループ再生などを実現することができる。
【００２６】
図２は、心腔が収縮する際の変位履歴画像を示す模式図である。これによると、変位履歴画像５０の最外には、初期の変位画像５２が表示され、心腔の収縮が進行する（時間が新しくなる）につれて、初期の変位画像５２の内側に変位画像が追加表示される。なお、図面においては各時相の心腔の外輪のみを等高線のように示しているが、実際には、各等高線の間にその時相に応じた色付け処理が施され、複数の色の帯による環状の画像が形成される。
【００２７】
また、心腔が拡張する際の変位履歴画像も図２に示す画像と同様な形態となる。つまり、心腔が拡張する際には、変位履歴画像５０の最内に初期の変位画像が表示され、心腔の拡張が進行するにつれて外側に向かって変位画像が追加表示される。結果として、図２に示す収縮の場合の変位履歴画像５０と同様な等高線状の画像が形成される。もちろん、収縮期と拡張期の心腔の形状などに相違があれば、収縮期と拡張期で変位履歴画像５０の様相は異なるものとなる。ちなみに、本実施形態では、以下に詳述するように、同一心拍内における収縮期と拡張期の二つの変位履歴画像５０が並列的に表示される。
【００２８】
図１に戻り、表示画像形成部１８は、ＤＳＣ１４から出力されるエコーデータに基づく断層画像（断層画像データ）と、運動画像形成部１６で形成された変位履歴画像（変位履歴画像データ）と、制御部３０から提供される各種データに基づいて表示画像データを形成する。そしてモニタ２０には、表示画像データに対応した表示画像２２が表示される。表示画像２２には、心臓の収縮期間における収縮画像と拡張期間における拡張画像が左右に並べて配置されている。
【００２９】
制御部３０は、図１の超音波診断装置内の各部を制御するシステムコントローラーとして機能する。例えば、操作パネル３６を介して入力される検査者の指示に基づいて、指示されたモードで本超音波診断装置を動作させる。ちなみに、操作パネル３６は、トラックボールやキーボードやタッチパネルなどの入力デバイスである。また、制御部３０には、心電計４０を介して、被検者から心電波形が供給される。制御部３０は、心電波形からＲ波のタイミングを抽出し、また、心電波形の波形データを表示画像形成部１８に出力して心電波形をモニタ２０に出力させる。さらに、制御部３０は、心電波形のＲ波を基準として設定される収縮期間の開始・終了時点や拡張期間の開始・終了時点を運動画像形成部１６に提供する。
【００３０】
次に、モニタ２０に表示される表示画像２２について説明する。
【００３１】
図３は、図１の超音波診断装置のモニタ２０に表示される表示画像２２を説明するための図である。以下、図３を利用して表示画像２２について説明する。なお、既に図１に示した部分には、図１の符号を付して説明する。表示画像２２は、表示画像形成部１８で形成される表示画像データに基づいてモニタ２０に表示される画像である。
【００３２】
図３の表示画像２２は、左画面６０Ｌと右画面６０Ｒを含んでいる。左画面６０Ｌは、Ｂモード画像６６に運動画像６２を重ねた構成である。Ｂモード画像６６は、ＤＳＣ１４から出力されるエコーデータに基づいて表示画像形成部１８によって形成される。超音波の送受波が継続的に行われることによってＤＳＣ１４からエコーデータが継続的に出力され、表示画像形成部１８は、継続的に供給されるエコーデータから動画のＢモード画像６６を形成する。
【００３３】
運動画像６２は、ＤＳＣ１４から出力されるエコーデータに基づいて運動画像形成部１６によって形成される。前述のように、運動画像形成部１６は、各時相ごとに形成される変位画像に対してその時相に対応した色付け処理を行って、複数時相の変位画像を順次重ね合わせることによって、運動画像６２である変位履歴画像を形成する。
【００３４】
その際、左画面６０Ｌには、心臓の収縮期間における変位履歴画像が形成される。つまり、収縮期間の開始を示す収縮開始時点ＳＳから終了を示す収縮終了時点ＳＥまでの期間内で、心臓壁の収縮方向への変位を反映させた運動画像６２（変位履歴画像）を形成する。なお、図３においては、運動画像６２（変位履歴画像）について、各時相の心腔の外輪のみを等高線のように示しているが、実際には、各等高線の間にその時相に応じた色付け処理が施され、複数の色の帯による環状の画像が形成される。
【００３５】
一方、右画面６０Ｒは、Ｂモード画像６６に運動画像６４を重ねた構成である。Ｂモード画像６６は、ＤＳＣ１４から出力されるエコーデータに基づいて表示画像形成部１８によって形成される。右画面６０Ｒと左画面６０Ｌには、全く同じＢモード画像６６が表示される。
【００３６】
運動画像６４は、ＤＳＣ１４から出力されるエコーデータに基づいて運動画像形成部１６によって形成される。運動画像６４は、左画面６０Ｌの運動画像６２と同様な形成手法によって運動画像形成部１６において形成される。但し、右画面６０Ｒには、心臓の拡張期間における変位履歴画像が形成される。つまり、拡張期間の開始を示す拡張開始時点ＤＳから終了を示す拡張終了時点ＤＥまでの期間内で、心臓壁の拡張方向への変位を反映させた運動画像６４（変位履歴画像）が形成される。なお、図３においては、運動画像６４（変位履歴画像）について、各時相の心腔の外輪のみを等高線のように示しているが、実際には、各等高線の間にその時相に応じた色付け処理が施され、複数の色の帯による環状の画像が形成される。
【００３７】
このように、本実施形態においては、左画面６０Ｌに収縮期間における変位履歴画像（運動画像６２）が表示され、右画面６０Ｒに拡張期間における変位履歴画像（運動画像６４）が表示される。なお、運動画像６２と運動画像６４の各々には、図示省略された色付け処理が施されるが、収縮期間と拡張期間とで互いに異なる原色を基調とした色付け処理を施すことが望ましい。例えば、収縮期間における変位履歴画像（運動画像６２）には、黄色や赤色を基調とした色付け処理が施され、拡張期間における変位履歴画像（運動画像６４）には、青色や緑色を基調とした色付け処理が施される。これにより、収縮期間と拡張期間との識別が容易になる。
【００３８】
図３の表示画像２２には、心電波形表示７０と設定期間表示８０が含まれている。心電波形表示７０は、心電計４０で得られる心電波形を表示したものである。心電計４０で得られる心電波形は、制御部３０を介して、波形データとして表示画像形成部１８に出力され、表示画像形成部１８において、右画面６０Ｒと左画面６０Ｌの直下に心電波形表示７０が挿入される。
【００３９】
設定期間表示８０は、収縮期間の開始を示す収縮開始時点ＳＳと終了を示す収縮終了時点ＳＥ、拡張期間の開始を示す拡張開始時点ＤＳと終了を示す拡張終了時点ＤＥを視覚的に示す表示態様である。収縮開始時点ＳＳなどは、心電波形に含まれるＲ波を基準として検査者によって次のように設定される。
【００４０】
一般に、心電波形のＲ波（心電波形表示７０において大きく突出した波形部分）は、心臓の拡張末期時点に対応する。検査者は、操作パネル３６を介して、Ｒ波の出現タイミングから収縮開始時点ＳＳまでの時間を設定する。心電波形のＲ波の出現タイミングは、制御部３０によって検出され、制御部３０は、Ｒ波の出現タイミングと操作者によって設定された時間に基づいて収縮開始時点ＳＳを設定する。ちなみに、収縮開始時点ＳＳは、Ｒ波と同じタイミングに設定されてもよい。また、収縮開始時点ＳＳの設定手法と同様な手法、つまりＲ波の出現タイミングからの時間を設定することによって、収縮終了時点ＳＥ、拡張開始時点ＤＳ、拡張終了時点ＤＥも設定される。なお、収縮終了時点ＳＥと拡張開始時点ＤＳは、常に全く同じタイミングに設定されるように構成してもよい。
【００４１】
このように、本実施形態では、Ｒ波の出現タイミングに基づいて、収縮開始時点ＳＳから拡張終了時点ＤＥまでの各時点が設定され、それに基づいて収縮期間や拡張期間が設定される。設定期間表示８０は、収縮開始時点ＳＳから拡張終了時点ＤＥまでの各時点を視覚的に示すものである。設定期間表示８０と心電波形表示７０は、互いに、時間軸を揃えて表示されている。このため、収縮開始時点ＳＳから拡張終了時点ＤＥの各時点と心電波形とを視覚的に比較することができる。
【００４２】
次に、左画面６０Ｌと右画面６０Ｒの形成タイミングについて説明する。
【００４３】
図４は、図３の表示画像２２に含まれる左画面６０Ｌと右画面６０Ｒの形成タイミングを説明するための図である。以下、図４を利用して左右二画面の形成タイミングについて説明する。なお、既に図３に示した部分には、図３の符号を付して説明する。
【００４４】
図４には、横軸を時間軸として、心電波形９０から右画面運動画像９６Ｒまでの各々についての状態遷移が示されている。心電波形９０から右画面運動画像９６Ｒまでの各々は、互いに、時間軸を揃えて示されている。
【００４５】
心電波形９０は、Ｒ波の出現タイミングを示しており、複数心拍に亘ってＲ波がほぼ同じ周期で出現している。収縮拡張タイミング９２は、収縮開始時点ＳＳから拡張終了時点ＤＥの各時点を示している。収縮開始時点ＳＳから拡張終了時点ＤＥの各時点は、前述のように、Ｒ波を基準として検査者によって設定される。図４においては、収縮開始時点ＳＳがＲ波の時点に設定されている。また、収縮終了時点ＳＥと拡張開始時点ＤＳが同じ時点に設定されている。収縮開始時点ＳＳから収縮終了時点ＳＥまでの期間が、対象組織である心臓の収縮期間であり、拡張開始時点ＤＳから拡張終了時点ＤＥまでの期間が拡張期間である。
【００４６】
左画面Ｂモード９４Ｌは、左画面６０Ｌ内に表示されるＢモード画像６６の表示状態を示しており、図４に示す期間の全域において動画表示である。つまり、左画面６０Ｌ内に表示されるＢモード画像６６は、図４に示す期間の全域において、常に最新の画像が動画として表示されている。
【００４７】
左画面運動画像９６Ｌは、左画面６０Ｌ内に表示される運動画像６２の表示状態を示している。左画面運動画像９６Ｌにおける画像形成の期間は、収縮開始時点ＳＳから収縮終了時点ＳＥまでの収縮期間に対応しており、この期間内において、複数時相の変位画像がＢモード画像６６上に段階的に重ね合わされて、収縮終了時点ＳＥの時点で変位履歴画像（運動画像６２）が完成する。そして、左画面運動画像９６Ｌにおける画像フリーズの期間、つまり拡張開始時点ＤＳから拡張終了時点ＤＥまでの拡張期間では、完成された変位履歴画像（運動画像６２）がフリーズ状態で表示される。ちなみに、運動画像６２がフリーズ状態で表示されている場合にも、前述のとおり、その背景にあるＢモード画像６６は動画表示を継続している。但し、運動画像６２がフリーズ状態となった場合にその背景のＢモード画像６６をフリーズさせる構成でもよい。
【００４８】
右画面Ｂモード９４Ｒは、右画面６０Ｒ内に表示されるＢモード画像６６の表示状態を示している。右画面６０Ｒと左画面６０Ｌには、全く同じＢモード画像６６が表示されるため、左画面Ｂモード９４Ｌの場合と同じく、右画面Ｂモード９４Ｒは、図４に示す期間の全域において動画表示である。
【００４９】
右画面運動画像９６Ｒは、右画面６０Ｒ内に表示される運動画像６４の表示状態を示している。右画面運動画像９６Ｒにおける画像非表示の期間は、収縮開始時点ＳＳから収縮終了時点ＳＥまでの収縮期間に対応しており、この期間内において、右画面６０Ｒ内には運動画像６４は表示されず、Ｂモード画像６６のみが表示される。そして、右画面運動画像９６Ｒにおける画像形成の期間、つまり拡張開始時点ＤＳから拡張終了時点ＤＥまでの拡張期間では、複数時相の変位画像がＢモード画像６６上に段階的に重ね合わされて、拡張終了時点ＤＥの時点で変位履歴画像（運動画像６４）が完成する。
【００５０】
現心拍の拡張終了時点ＤＥから次心拍の収縮開始時点ＳＳまでの期間では、現心拍の収縮期間の運動画像６２と拡張期間の運動画像６４が共にフリーズ状態で表示されてもよいし、運動画像６２と運動画像６４は非表示状態であってもよい。但し、遅くとも次心拍の収縮開始時点ＳＳ（Ｒ波の出現タイミング）までに現心拍の運動画像６２と運動画像６４はリフレッシュされて非表示となり、次心拍の収縮開始時点ＳＳから次心拍の運動画像６２の形成が開始される。
【００５１】
以上のようにして、現心拍のＲ波の出現タイミングから次心拍のＲ波の出現タイミングまでの期間において、左画面６０Ｌと右画面６０Ｒを構成する各画像が形成され、それを複数心拍に亘って繰り返すことにより、各心拍ごとに左画面６０Ｌと右画面６０Ｒが更新される。
【００５２】
医師などの検査者は、更新される画像を見ながら診断に適した心拍の画像を確認する。そして、診断に適した心拍の画像が確認できた際には、操作パネル（図１の符号３６）などに設けられているフリーズスイッチによって、画像の更新を停止させる。図４において、フリーズＳＷ９８は、フリーズスイッチが操作されたタイミングを示している。フリーズスイッチが操作されると、フリーズＳＷ９８の時点から以前の複数心拍の画像が繰り返し再生（ループ再生）される。つまり、二つのメモリ（図１の符号３２，３４）の少なくとも一方に記憶されたデータに基づいて、ループ再生が実行される。
【００５３】
ちなみに、現心拍の収縮開始時点ＳＳから拡張終了時点ＤＥまでの期間にフリーズスイッチが操作された場合には、現心拍の一つ前の心拍までのデータを利用してループ再生を実行してもよい。あるいは、現心拍の拡張終了時点ＤＥまで画像形成を継続させ、現心拍までのデータを利用してループ再生を実行してもよい。
【００５４】
以上のように、本実施形態の超音波診断装置を利用することによって、医師などの検査者は、診断に適した心拍の画像をループ再生によって繰り返し確認することができる。そして、左画面６０Ｌと右画面６０Ｒには、同一心拍内における収縮期間の運動画像６２と拡張期間の運動画像６４が表示されるため、心臓の同一心拍内における収縮運動状態と拡張運動状態を比較観察することが可能になる。このため、本実施形態の超音波診断装置は、例えば、心筋梗塞などの診断において極めて有用である。
【００５５】
以上、本発明の好適な実施形態を説明したが、上述した実施形態は、あらゆる点で単なる例示にすぎず、本発明の範囲を限定するものではない。例えば、上述した実施形態では、同一心拍内の収縮期間と拡張期間に対応した左右二画面の表示態様を示したが、同一心拍内の三つ以上の複数の期間に対応した複数の画面を左右上下に並べて表示してもよい。また、上述した実施形態では二次元超音波画像の表示態様を示しているが、本発明を三次元超音波画像に応用してもよい。さらに、上述した実施形態では運動画像の背景にＢモード画像を表示しているが、Ｂモード画像に換えてドプラ画像などを表示させてもよい。
【図面の簡単な説明】
【００５６】
【図１】本発明に係る超音波診断装置の全体構成を示すブロック図である。
【図２】変位履歴画像を示す模式図である。
【図３】表示画像を説明するための図である。
【図４】左右二画面の形成タイミングを説明するための図である。
【符号の説明】
【００５７】
１６  運動画像形成部、１８  表示画像形成部、２２  表示画像、６２，６４  運動画像、６６  Ｂモード画像。
【図１】
0004621578.tif 000002
【図２】
0004621578.tif 000003
【図３】
0004621578.tif 000004
【図４】
0004621578.tif 000005